(57)【要約】【課題】ビット、釘、ネジ類などの物品や、ドライバー、スパナ、ナイフなどの作業工具類の先端が尖ったものを収納した場合にも底が破れたり、抜けてしまったりすることがなく、使用を重ねても保形性が維持でき、工事に必要な各種物品や作業工具類が収納し難くなるようなことはなく、しかも腰に下げないで置いておく場合や、不使用時に保管しておく場合に、そのままでも倒れることなく、袋体内に収納した各種物品や作業工具類がこぼれ落ちてしまうことのない腰袋を提供する。【解決手段】上面開口とした外袋体１と上面開口とした内収納体２とからなり、この内収納体２を外袋体１より硬い素材で形成し、前記外袋体１内の底部から下半部までの間に前記内収納体２を保持したものとしている。【選択図】    図２
2009248254.tif 000002
【特許請求の範囲】
【請求項１】
上面開口とした外袋体（１）と上面開口とした内収納体（２）とからなり、この内収納体（２）を外袋体（１）より硬い素材で形成し、前記外袋体（１）内の底部から下半部までの間に前記内収納体（２）を保持したことを特徴とする腰袋。
【請求項２】
前記外袋体（１）を、保形性を有した軟らかい素材で形成し、前記内収納体（２）を、保形性を有した硬い素材で形成した請求項１記載の腰袋。
【請求項３】
前記外袋体(１)の背面部、前面部、側面部、底面部のいずれかの部分を、保形性を有した硬い素材で形成した請求項１記載の腰袋。
【請求項４】
前記外袋体（１）の外面に吊下げ部（３）を設けた請求項１記載の腰袋。
【請求項５】
前記外袋体（１）の内面に、前記内収納体（２）の上面開口部の周囲から、この上面開口部内に垂れ込むようにした垂れ（４）を取り付けた請求項１記載の腰袋。
【請求項６】
前記内収納体（２）を容器状とし、上面開口部に外方に向けて鍔（８）を設け、この鍔（８）を前記外袋体（１）の内面に接触するようにした請求項１記載の腰袋。
【請求項７】
前記内収納体（２）の高さを、前記外袋体（１）の５分の１〜２分の１の高さにした請求項１記載の腰袋。
【請求項８】
前記吊下げ部（３）を設ける個所を、前記外袋体（１）に内収納体（２）を保持した位置より高い個所にした請求項４記載の腰袋。
【発明の詳細な説明】
【技術分野】
【０００１】
この発明は、電気工事や建築工事などにおいて、配線器具、金物、補修・結束具、ビット、釘、ネジ類などの工事に必要な各種物品や、ドライバー、スパナ、ナイフ、ペンチなどの作業工具類を収納する腰袋に関するものである。
【背景技術】
【０００２】
従来、この種の腰袋は、例えば図７に示したように、形態保持可能な皮革、厚布等の比較的丈夫な素材で形成され、上面が開口した袋体２１の外表面に各種工具を収納するポケット部２２、２３と、作業者の腰ベルトに吊り下げるためのベルト吊下げ部２４とを備え、さらに袋体２１の外表面の所定個所に携帯通信機２５を収納するための開閉蓋片付きの通信機用ポケット２６が設けられているものが存在する（特許文献１）。
【０００３】
そして、この従来の腰袋は、袋体２１の内部に配線器具、金物、補修・結束具、ビット、釘、ネジ類などの工事に必要な各種物品を収納できるようにしている。
【０００４】
このように構成した従来の腰袋は、工具類や他の収納物品と区分けして携帯通信機２５を個別に且つ安全にしかも確実に収納することができると共に、携帯通信機２５の出し入れを容易に行うことができて、足場の悪い高所での使用が便利であるという効果を有する。
【特許文献１】登録実用新案第３０１２３２１号公報（第１、４頁、図１）
【発明の開示】
【発明が解決しようとする課題】
【０００５】
しかしながら、従来の腰袋は、袋体２１が形態保持可能な皮革、厚布等の比較的丈夫な素材で形成されているといっても、ビット、釘、ネジ類などの物品や、ドライバー、スパナ、ナイフなどの作業工具類の先端が尖ったものを収納した場合には、使用を重ねると袋体２１の底が傷ついて、その袋体２１の底が破れてしまったり、抜けてしまったりすることがあるという問題点を有していた。
【０００６】
また、従来の腰袋は、前記したように比較的丈夫な素材で形成されているといっても、使用を重ねると保形性が維持できなくなり、袋体２１が窄んだ状態となって、その袋体２１内に工事に必要な各種物品や作業工具類が収納し難くなるという問題点を有していた。
【０００７】
さらに、従来の腰袋は、前記したように保形性が維持できなくなると、作業中断時や休憩時など腰に下げないで置いておく場合や、不使用時に保管しておく場合に、何かに立て掛けておかないと倒れてしまい、袋体２１内に収納した各種物品や作業工具類がこぼれ落ちてしまうという問題点を有していた。
【０００８】
そこで、この発明は、上記従来の問題点を解決することをその課題としており、ビット、釘、ネジ類などの物品や、ドライバー、スパナ、ナイフなどの作業工具類の先端が尖ったものを収納した場合にも底が破れたり、抜けてしまったりすることがなく、使用を重ねても保形性が維持でき、工事に必要な各種物品や作業工具類が収納し難くなるようなことはなく、しかも腰に下げないで置いておく場合や、不使用時に保管しておく場合に、そのままでも倒れることなく、袋体内に収納した各種物品や作業工具類がこぼれ落ちてしまうことのない腰袋を提供することを目的としてなされたものである。
【課題を解決するための手段】
【０００９】
そのため、この発明の腰袋は、上面開口とした外袋体１と上面開口とした内収納体２とからなり、この内収納体２を外袋体１より硬い素材で形成し、前記外袋体１内の底部から下半部までの間に前記内収納体２を保持したものとしている。
【００１０】
そして、この発明の腰袋は、前記外袋体１を、保形性を有した軟らかい素材で形成し、前記内収納体２を、保形性を有した硬い素材で形成したものとしている。
【００１１】
さらに、この発明の腰袋は、外袋体１の背面部、前面部、側面部、底面部のいずれかの部分を、保形性を有した硬い素材で形成したものとしている。
【００１２】
また、この発明の腰袋は、前記外袋体１の外面に吊下げ部３を設けたものとしている。
【００１３】
さらに、この発明の腰袋は、前記外袋体１の内面に、前記内収納体２の上面開口部の周囲から、この上面開口部内に垂れ込むようにした垂れ４を取り付けたものとしている。
【００１４】
また、この発明の腰袋は、前記内収納体２を容器状とし、上面開口部に外方に向けて鍔８を設け、この鍔８を前記外袋体１の内面に接触するようにしたものとしている。
【００１５】
さらに、この発明の腰袋は、前記内収納体２の高さを、前記外袋体１の５分の１〜２分の１の高さにしている。
【００１６】
また、この発明の腰袋は、前記吊下げ部３を設ける個所を、前記外袋体１に内収納体２を保持した位置より高い個所にしたものとしている。
【発明の効果】
【００１７】
この発明の腰袋は、以上に述べたように構成されており、ビット、釘、ネジ類などの物品や、ドライバー、スパナ、ナイフなどの作業工具類の先端が尖ったものを収納した場合にも底が破れたり、抜けてしまったりすることがなく、耐久性に優れたものとなる。
【００１８】
さらに、この発明の腰袋は、使用を重ねても保形性が維持でき、工事に必要な各種物品や作業工具類が収納し難くなるようなことはなく、使用し易いものとなる。
【００１９】
また、この発明の腰袋は、腰に下げないで置いておく場合や、不使用時に保管しておく場合に、そのままでも倒れることなく、袋体内に収納した各種物品や作業工具類がこぼれ落ちてしまうことがなく、作業中断時、休憩時や保管時に、何かに立て掛けておくなどの手間の掛からないものとなる。
【発明を実施するための最良の形態】
【００２０】
以下、この発明の腰袋を実施するための最良の形態を、図面に基づいて詳細に説明する。
【００２１】
この発明の腰袋は、図１、２に示したように、上面開口とした外袋体１と上面開口とした内収納体２とからなり、この内収納体２を外袋体１より硬い素材で形成し、前記外袋体１内の底部から下半部までの間に前記内収納体２を保持したものとしている。
【００２２】
前記外袋体１は、従来と同様に皮革、厚布等の比較的丈夫な素材で形成しているが、腰に下げたときに、作業者に接触するので、保形性を有した軟らかい素材で形成したものとするのが好ましい。保形性を有した軟らかい素材とは、帆布、天然皮革、合成皮革、合成樹脂、合成繊維、またはこれらの材料を組み合わせた複合材料などであるが、厚紙や薄手の合成樹脂板などを布地、皮革地などの軟らかいもので被覆したものであってもよい。
【００２３】
また、前記外袋体１は、背面部、前面部、側面部、底面部のいずれかの部分を、保形性を有した硬い素材で形成したものとすることができる。すなわち、背面部、前面部、側面部、底面部の全部を除く、いずれか一つ、二つ、または三つの部分を、保形性を有した硬い素材で形成したものとすることができる。保形性を有した硬い素材とは、ビット、釘、ネジ類などの物品や、ドライバー、スパナ、ナイフなどの作業工具類の尖った先端が当たっても損傷し難い金属、合成樹脂、硬質の木材からなる板または成形品などであるが、これらに限定されるものではない。なお、前記外袋体１の背面部、前面部、側面部、底面部のいずれかの部分を、保形性を有した硬い素材で形成したものとした場合には、このような硬い素材を布地、皮革地などの軟らかいもので被覆したものとしてもよい。
【００２４】
さらに、前記外袋体１は、吊下げ部３を設けたものとしている。この吊下げ部３は、外袋体１の外面に設けたものとしており、この吊下げ部３を設ける個所は、外袋体１に内収納体２を保持した位置より高い個所にしている。このようにするのは、腰袋を使用者の腰ベルトなどに吊り下げた場合にバランスを維持するためと、吊下げ部３が外袋体１に内収納体２を保持するのを邪魔しないようにするためである。
【００２５】
さらに、前記外袋体１は、図３、４に示したように、その内面に前記内収納体２の上面開口部の周囲から、この上面開口部内に垂れ込むようにした垂れ４を、縫着するなどして取り付けたものとしている。なお、この垂れ４は、前記内収納体２の上面開口部の周囲の全周または一部から、この上面開口部内に垂れ込むようにすることができる。このようにすると、後に述べるように、前記内収納体２の上面開口部に外方に向けて設けた鍔８を、外袋体１の内面に接触するようにしなくても、ビット、釘、ネジ類などの物品や、ドライバー、スパナ、ナイフなどの作業工具類は、前記外袋体１と内収納体２の間に入ってしまうようなことはなく、前記内収納体２内へ確実に収納されるものとなる。
【００２６】
前記吊下げ部３は、図５に示したように、腰ベルト５への吊下げ部としたものとすることができる。この吊下げ部３は、図示したように外袋体１の背面に挿通孔状に形成し、腰ベルト５を通すものとしているが、フック状にして腰ベルト５に引っ掛けるものにするなど、適宜の構造とすることができる。この発明の腰袋は、このような構造により、電気工事や建築工事などの各種の工事を行う場合、作業者が腰に付けた腰ベルト５に吊り下げた状態で使用することができる。
【００２７】
前記内収納体２は、図６に示したように、容器状としており、上面開口部に外方に向けて鍔８を設け、この鍔８を前記外袋体１の内面に接触するようにしている。このようにすると、前記した物品や作業工具類は、前記外袋体１と内収納体２の間に入りにくくなり、前記内収納体２内へ確実に収納されるものとなる。
【００２８】
さらに、前記内収納体２は、ビット、釘、ネジ類などの物品や、ドライバー、スパナ、ナイフなどの作業工具類の先端が尖ったものを収納した場合、これらの先端が直に当たるので、保形性を有した硬い素材で形成したものとしている。保形性を有した硬い素材とは、前記した各種物品や作業工具類の尖った先端が当たっても損傷し難い金属、合成樹脂、硬質の木材からなる板または成形品などであるが、これらに限定されるものではない。前記内収納体２を金属にした場合は、アルミニウム合金などの軽金属からなるものとするのが好ましい。
【００２９】
また、前記内収納体２は、使用を重ねても保形性に優れている硬い素材で形成したものとすることができる。使用を重ねても保形性に優れている硬い素材とは、弾性変形可能とした厚手の合成樹脂成形品などである。
【００３０】
前記内収納体２の高さは、前記外袋体１の５分の１〜２分の１の高さにしたものとしている。また、前記内収納体２の高さは、前記外袋体１の３分の１〜２分の１の高さにしたものとするのが好ましい。このようにすると、外袋体１内の底部から下半部までの間に、内収納体２を保持したものとすることができる。また、腰袋を使用者の腰ベルト５などに吊り下げた場合に、外袋体１に内収納体２が保持されている硬い部分が使用者の腰に当たらず、使用者が腰を痛めることがなく、また使用を重ねた場合の内収納体２による外袋体１の保形性を維持するのにも問題のない高さとなる。
【００３１】
さらに、前記内収納体２は、外袋体１内に保持した場合、挿脱不可能なものとしても良いが、挿脱可能なものとしても良い。前記内収納体２を外袋体１内に挿脱可能なものとした場合には、図６に示したように、内収納体２の側面に指などを引っ掛けるための穴９を設けるなどして、その挿脱操作が行い易いようにしている。
【００３２】
以上のように構成したこの発明の腰袋は、外袋体１の開口部から内収納体２内や、この内収納体２から外袋体１内にかけて、電気工事や建築工事などにおけるその工事の種類に応じて必要な配線器具、金物、補修・結束具、釘、ネジ類などの物品や、ドライバー、スパナ、ナイフ、ペンチなどの作業工具類を収納しておくことができる。
【００３３】
この発明の腰袋では、このように前記物品や作業工具類を収納しておくだけで、ビット、釘、ネジ類などの物品や、ドライバー、スパナ、ナイフなどの作業工具類の先端が尖ったものが底に当たった状態にして使用を重ねても、底が破れたり、抜けてしまったりすることがないものとなる。
【００３４】
すなわち、この発明の腰袋では、内収納体２を外袋体１より硬い素材で形成しており、しかも内収納体２の底部と外袋体１の底部との二重底になっているため、例え内収納体２の底部が損傷しても、外袋体１の底部までその損傷がおよぶことは少なく、またこのような場合にはその内収納体２を外袋体１から抜いて取り替えれば、外袋体１の底が破れたり、抜けてしまうことがない。
【００３５】
さらに、この発明の腰袋は、外袋体１内の底部から下半部までの間に内収納体２を保持したものとし、しかも内収納体２を、使用を重ねても保形性が維持できる硬い素材で形成したものとしているため、腰袋全体しての保形性がいつまでも維持でき、工事に必要な各種物品や作業工具類が収納し難くなるようなことはなく、またこの発明の腰袋を腰に下げないで置いておく場合や、不使用時に保管しておく場合にも、そのままで倒れることなく、袋体内に収納した各種物品や作業工具類がこぼれ落ちてしまうことがないものとなる。
【図面の簡単な説明】
【００３６】
【図１】この発明の腰袋の一実施形態を示す斜視図である。
【図２】図１に示すこの発明の腰袋の断面図である。
【図３】この発明の腰袋の他の実施形態を示す断面図である。
【図４】図３に示すこの発明の腰袋の外袋体内面に取り付けた垂れの取付状態を示す要部断面斜視図である。
【図５】この発明の腰袋を腰ベルトに吊り下げた状態を示す斜視図である。
【図６】この発明の腰袋の内収納体の一例を示す斜視図である。
【図７】従来の腰袋の斜視図である。
【符号の説明】
【００３７】
１  外袋体
２  内収納体
３  吊下げ部
８  鍔
４  垂れ
【図１】
2009248254.tif 000003
【図２】
2009248254.tif 000004
【図３】
2009248254.tif 000005
【図４】
2009248254.tif 000006
【図５】
2009248254.tif 000007
【図６】
2009248254.tif 000008
【図７】
2009248254.tif 000009